(57)【特許請求の範囲】
【請求項１】
枠部と、前記枠部に囲まれるように形成された電池収容部と、電池の下面に接触する電極切片と、を備えた電池収容装置であって、
前記電池収容部の端部の近傍に、電池取り外し用の治具の先端を電池の下面側に案内する凹部が設けられていると共に、前記凹部の前記電池収容部側の凹部底面から上方向に壁部が形成されており、
前記電池収容部には、電池の縁部を保持する弾性爪が設けられて、前記弾性爪と前記凹部との間に保護壁が設けられている、
ことを特徴とする電池収容装置。
【請求項２】
前記壁部の幅よりも幅広の取り外し用の治具が前記凹部に差し込まれた時に当該取り外し用の治具を案内する一対のガイド部を、前記壁部の外側に設けた、
ことを特徴とする請求項１に記載の電池収容装置。
【請求項３】
前記凹部の幅よりも幅広の溝部を前記凹部に隣接して形成すると共に、
前記壁部の幅よりも幅広の取り外し用の治具が当接可能な一対の側壁部を、前記溝部の溝部底面から上方向に形成した、
ことを特徴とする請求項１又は請求項２に記載の電池収容装置。
【発明の詳細な説明】
【技術分野】
【０００１】
本発明は、電池収容装置に関し、特に簡易な治具で電池の取り外しが可能な電池収容装置に関する。
【背景技術】
【０００２】
簡易な治具で電池の取り外しが容易な電池収容装置として、例えば、特許文献１に開示された電池収容装置９００が知られている。電池収容装置９００の構造を図９に示す。
【０００３】
電池収容装置９００は、電池９１０の正電極に接触する正電極部材９１３と負電極に接触する負電極部材９１２とを備えている。正電極部材９１３は、電池９１０の正電極即ち電池９１０の側面に弾性を有して当接するため、弾性部材９１３ｂ及び折り曲げ部９１３ｃによって構成されている。また、負電極部材９１２は、枠部材９１４内の開口部９１４ｆから上方に突出している３つの負電極切片９１２ｃと９１２ｄと９１２ｅとによって構成されている。また、枠部材９１４内には、取り外し用の治具であるドライバーを差し込むことのできる溝部９１９が設けられており、溝部９１９の底面は電池収容部の底面に連通している。
【０００４】
正電極部材９１３は、枠部材９１４内に電池９１０が装着される際に、電池９１０の正電極即ち電池９１０の側面角部に折り曲げ部９１３ｃが弾性を伴って接触する。そのため、装着後の電池９１０の正電極と正電極部材９１３との良好な接触が保持されると共に、電池９１０の離脱が阻止されるという効果を奏する。
【先行技術文献】
【特許文献】
【０００５】
【特許文献１】実開平３−０４０７６０号公報
【発明の概要】
【発明が解決しようとする課題】
【０００６】
しかしながら、電池収容装置９００では、電池収容部の底面と溝部９１９の底面とが同一の高さで連通しているため、溝部９１９からドライバー等の取り外し用の治具を電池９１０の底面との隙間に差し込む際に、治具が平坦状の電池収容部の底面を滑ってしまい、負電極部材９１２に触れて負電極部材９１２を損傷させる恐れがあった。
【０００７】
本発明はこのような従来技術の実情に鑑みてなされたもので、電池の取り外し時に電池収納部内の電極部材を損傷させることのない電池収容装置を提供することを目的とする。
【課題を解決するための手段】
【０００８】
上記課題を解決するために、電池収容装置は、枠部と、前記枠部に囲まれるように形成された電池収容部と、電池の下面に接触する電極切片と、を備えた電池収容装置であって、前記電池収容部の端部の近傍に、電池取り外し用の治具の先端を電池の下面側に案内する凹部が設けられていると共に、前記凹部の前記電池収容部側の凹部底面から上方向に壁部が形成されており、前記電池収容部には、電池の縁部を保持する弾性爪が設けられて、前記弾性爪と前記凹部との間に保護壁が設けられている、という特徴を有する。
【０００９】
このように構成された電池収容装置は、取り外し用の治具の先端が凹部によって電池の下面側に案内されるとともに、差し込まれた治具の先端が壁部に当接して押し止められ、治具の先端が電極切片側に滑り込むことを規制するため、治具が電極切片を損傷させることを防止することができる。
【００１１】
また、保護壁によって弾性爪が保護されているため、取り外し用の治具が誤って斜めに差し込まれた場合でも、治具が弾性爪に接触することがなく、取り外し時の弾性爪の損傷を防止することができる。
【００１２】
また、上記の構成において、前記壁部の幅よりも幅広の取り外し用の治具が前記凹部に差し込まれた時に当該取り外し用の治具を案内する一対のガイド部を、前記壁部の外側に設けた、という特徴を有する。
【００１３】
このように構成された電池収容装置は、壁部の幅よりも幅広の取り外し用の治具が凹部に差し込まれた際に、治具の先端が一対のガイド部によって凹部の中央に正確に案内されるため、容易に電池を取り外すことができる。
【００１４】
また、上記の構成において、前記凹部の幅よりも幅広の溝部を前記凹部に隣接して形成すると共に、前記壁部の幅よりも幅広の取り外し用の治具が当接可能な一対の側壁部を、前記溝部の溝部底面から上方向に形成した、という特徴を有する。
【００１５】
このように構成された電池収容装置は、コインのように壁部の幅よりも幅広の取り外し用の治具を使用した時に、一対の側壁が支点となり、壁部に当接した取り外し用の治具の先端が作用点となって電池を持ち上げ、取り外しを行なうことができる。そのため、前壁が支点となる場合と比べて、支点と作用点との間の距離を短くすることができるので、軽い力で電池を取り外すことができる。その結果、力を入れ過ぎて電池収容部内の電極切片を損傷させることがない。
【発明の効果】
【００１６】
本発明の電池収容装置は、取り外し用の治具の先端が凹部によって電池の下面側に案内されるとともに、差し込まれた治具の先端が壁部に当接して押し止められ、治具の先端が電極切片側に滑り込むことを規制するため、治具が電極切片を損傷させることを防止することができる。
【図面の簡単な説明】
【００１７】
【図１】電池収容装置を上方から見た斜視図である。
【図２】電池が収容された電池収容装置を上方から見た斜視図である。
【図３】電池収容装置を下方から見た斜視図である。
【図４】電池収容装置の凹部の周辺を示す拡大斜視図である。
【図５】電池が収容された電池収容装置の凹部の周辺を左側から見た断面図である。
【図６】電池が収容された電池収容装置の凹部の周辺を前方から見た斜視図である。
【図７】電池収容装置内の電池をドライバーで取り外している状態の平面図である。
【図８】電池収容装置内の電池をコインで取り外している状態の平面図である。
【図９】従来例に係る電池収容装置を示す平面図である。
【発明を実施するための形態】
【００１８】
［実施形態］
以下、本発明の実施形態について図面を参照しながら説明する。本実施形態に係る電池収容装置１００は、例えば、キーレスエントリー装置に使用される携帯機内の電池収容装置に用いられる。尚、本実施の形態に係る電池収容装置１００の用途については、これに限定されるものではなく適宜変更が可能である。本明細書では、特に断りの無い限り、各図面の＋Ｘ側を右側、−Ｘ側を左側、＋Ｙ側を後側、−Ｙ側を前側、＋Ｚ側を上側、−Ｚ側を下側として説明する。
【００１９】
図１乃至図３を参照して、電池収容装置１００の全体構成について説明する。図１は、電池収容装置１００を上方から見た斜視図であり、図２は、電池６１が収容された状態の電池収容装置１００を上方から見た斜視図である。また、図３は、電池収容装置１００を下方から見た斜視図である。
【００２０】
電池収容装置１００は、図１に示すように、電池収容部１０と、凹部２０と、枠部３０と、回路基板４９を有する回路部４０と、を備えて構成されている。
【００２１】
枠部３０は、合成樹脂によって形成されている。枠部３０には、図１に示すように、その内側に電池収容部１０と凹部２０とが構成されており、平面視で前後方向に長い略長方形形状をしている。
【００２２】
電池収容部１０は、枠部３０に囲まれるように形成されている。電池収容部１０は、中央に開口１１ａを有する底面１１と、外形が平面視で円形に形成された側面１３によって構成されている。電池収容部１０内では、回路基板４９上に取り付けられた第１電極４１を構成する電極切片４１ａが、底面１１の開口１１ａから上方に突出している。また、回路基板４９上に取り付けられた第２電極４２を構成する電極切片４２ａが、側面１３に設けられた開口１３ａから電池収容部１０の内方に突出している。電極切片４１ａ及び電極切片４２ａは、導電性の金属板によって形成されており、回路基板４９上に半田等で固定されている。尚、第１電極４１はマイナス電極であり、第２電極４２はプラス電極である。また、電極切片４１ａ及び電極切片４２ａは、それぞれ２箇所設けられている。
【００２３】
電池収容部１０には、図２に示すように、電池６１が収容される。従って、電池収容部１０は、電池６１の高さ方向の寸法より大きな深さを有している。電池６１は、その外形が円形のボタン電池である。電池収容部１０の側面１３の後側（＋Ｙ側）の２箇所に電池支持部１７が設けられていると共に、側面１３の前側（−Ｙ側）の２箇所に弾性爪１５が設けられている。
【００２４】
電池６１を電池収容部１０に収容する際には、電池６１を斜めに傾けて、電池６１の後側（＋Ｙ側）の端部を２箇所ある電池支持部１７の下側に差し込み、その後、電池６１の下面が図１に示した電極切片４１ａを下方に押し下げるように、電池６１を上から押圧して電池収容部１０に押し込む。その時、２箇所の弾性爪１５が外側方向に押圧され、弾性爪１５の上端１５ａが一旦外側に移動し、電池６１が電池収容部１０に嵌め込まれた後に、元の位置に戻る。その結果、２箇所の弾性爪１５が電池６１の２箇所の縁部を上から保持する。また、２箇所の電池支持部１７が電池６１の２箇所の縁部を上から支持する。従って、電池６１の４箇所の縁部が支持又は保持されるため、電池６１を安定に保持することができる。
【００２５】
電池６１が電池収容部１０に嵌め込まれた後には、第１電極４１を構成する電極切片４１ａが電池６１の下面（マイナス電極）に当接し、第２電極４２を構成する電極切片４２ａが電池６１の側面（プラス電極）に当接する。尚、電極切片４１ａ及び電極切片４２ａは、それぞれ弾性を有しているため、電池６１の下面及び側面に弾性を伴って当接する。
【００２６】
電池収容部１０の前側の端部の近傍には、図１に示すように、凹部２０が設けられていると共に、凹部２０の凹部底面２３から上方向に壁部２１が形成されている。また、凹部２０の幅よりも幅広の溝部２５が凹部２０に隣接して形成されている。尚、凹部２０周辺の構造については、後に詳細に説明する。
【００２７】
回路部４０は、図３に示すように、回路基板４９、回路基板４９上に形成された電子回路４５、回路基板４９上に取り付けられた２個の押しボタン部材４３、及び図１で示した第１電極４１と第２電極４２とで構成されている。回路基板４９は、枠部３０に複数個所（実施形態では４箇所）設けられた基板取り付けガイド部３８で位置決めされて枠部３０に載置され、弾性を有した基板取り付け爪３９で保持される。基板取り付け爪３９は、複数個所（実施形態では２箇所）設けられている。
【００２８】
電子回路４５は、例えば、キーレスエントリー装置の携帯器を構成させるための回路であり、集積回路等の電子部品（図示せず）で形成されている。２個の押しボタン部材４３は、電子回路４５に搭載されたキーレスエントリー機能を操作するためのスイッチとして機能する。尚、電子回路４５の回路構成等については、公知であるためその説明を省略する。電子回路４５には、図１で示した第１電極４１及び第２電極４２を介して電池６１から電源が供給される。
【００２９】
尚、電池収容装置１００をキーレスエントリー装置の携帯器として構成させるためには、その構成部材として、電池収容装置１００以外に、電池収容装置１００を収納する上側ケースと下側ケース、及び押しボタン部材４３を覆うキートップが更に必要となるが、これらについては、その説明を省略する。
【００３０】
次に、図４乃至図６を参照して、電池６１の取り外しのための構造、即ち、凹部２０の周辺の構造について詳細に説明する。図４は、電池収容装置１００の凹部２０の周辺の構造を示す拡大斜視図であり、図５は、電池６１が収容された電池収容装置１００の凹部２０の周辺を、図２に示すＡ−Ａ線から見た断面図である。また、図６は、電池６１が収容された電池収容装置１００の凹部２０の周辺を前方から見た斜視図である。
【００３１】
図４に示すように、凹部２０は、電池収容部１０の前側の端部の近傍に設けられている。本実施形態では、凹部２０は左右の方向に長辺を有する長方形形状をしている。また、凹部２０の電池収容部１０側の凹部底面２３から、電池収容部１０の底面１１に向けて上方向に壁部２１が形成されている。従って、凹部底面２３の上下方向における位置は、電池収容部１０の底面１１の上下方向における位置よりも低くなる。壁部２１は、長方形形状をした凹部２０の電池収容部１０側の長辺に沿って直線状に形成されている。尚、凹部２０の形状は、電池収容部１０側に直線状の辺を有していれば、長方形形状に限らない。電池６１が電池収容部１０内に収容された時には、壁部２１が、図５に示すように、電池６１の前側端部の下面の下方に位置する。従って、電池６１の前側端部の下面と凹部底面２３との間に隙間１９が形成される。
【００３２】
図４に示すように、電池収容部１０に設けられている前述した２箇所の弾性爪１５と凹部２０との間の枠部３０には、それぞれ保護壁３１が設けられている。保護壁３１は、弾性爪１５の外形からわずか離間し、弾性爪１５の、電池収容部１０の中央方向側の面を除く三面の方向を囲うように形成されている。
【００３３】
凹部２０の左右方向の幅よりも幅広の溝部２５が、凹部２０に隣接して形成されている。溝部２５の溝部底面２７は、凹部２０の左右側の上側端部、及び凹部２０の前側の上側端部から、枠部３０の外形部まで延伸して形成されている。尚、溝部底面２７の上下方向における位置は、本実施形態では、凹部２０の凹部底面２３の上下方向における位置よりも高くなるように設定されているが、この位置は、凹部底面２３の上下方向における位置と同一であっても良いし、凹部底面２３の上下方向における位置よりも低くなるように設定されていても良い。そのため、溝部２５の溝部底面２７の上下方向における位置が、凹部２０の凹部底面２３の上下方向における位置に対して同一か、又は低く設定された場合は、凹部２０は溝部２５を含むことになる。
【００３４】
溝部２５の周りの枠部３０には、電池収容部１０の方向を除く３方向に亘って壁が形成されている。即ち、図４及び図５に示すように、壁部２１の幅よりも幅広の取り外し用の治具が当接可能な一対の側壁３５が、溝部２５の溝部底面２７の右側及び左側の端部から上方向に形成されていると共に、溝部２５の溝部底面２７の前側の端部から上方向に前壁３７が形成されている。
【００３５】
図６に示すように、壁部２１の幅よりも幅広の取り外し用の治具が凹部２０に差し込まれた時にこの取り外し用の治具を案内する一対のガイド部３３が、前述した保護壁３１と凹部２０との間にそれぞれ設けられている。ガイド部３３は、溝部底面２７の凹部２０と接する位置から徐々に高くなっていき、保護壁３１の、電池６１の下側の面の高さの位置まで斜め方向に延びて形成されている。従って、電池６１が電池収容部１０に収容された時には、右側のガイド部３３と左側のガイド部３３との間に、前述した、電池６１の前側端部の下面と凹部底面２３との間の隙間１９が形成されることになる。
【００３６】
次に、図５、図７及び図８を参照して、電池６１を取り外す時の取り外し方について説明する。図７は、電池収容装置１００内の電池６１をマイナスドライバー６５で取り外している状態を示す平面図であり、図８は、電池収容装置１００内の電池６１をコイン６７で取り外している状態を示す平面図である。
【００３７】
電池収容装置１００内に収容されている電池６１を取り外す時には、取り外し用の治具６３が用いられる。取り外し用の治具６３として、図７に示すように、マイナスドライバー６５が用いられることが多い。
【００３８】
マイナスドライバー６５で電池６１を取り外す時には、まずマイナスドライバー６５の先端部６５ａを凹部２０に前方から差し込み、更に凹部２０内で先端部６５ａを後方に押し込む。先端部６５ａを押し込むと、先端部６５ａは壁部２１に当接し押し止められる。この時、マイナスドライバー６５の先端部６５ａは、図５に示した凹部２０と電池６１の下面との間の隙間１９に差し込まれている。尚、マイナスドライバー６５の先端部６５ａの幅は、壁部２１の幅よりも狭いものとする。
【００３９】
次に、図７に示すように、マイナスドライバー６５の中間部６５ｂを枠部３０の前方に形成されている前壁３７に当接させる。そして、マイナスドライバー６５の取手部６５ｃを下方向に押し下げる。中間部６５ｂを前壁３７に当接させ、取手部６５ｃを下方向に押し下げることによって、先端部６５ａが上方向に持ち上げられる。即ち、取手部６５ｃを力点とし、中間部６５ｂを支点とし、先端部６５ａを作用点とした梃として、マイナスドライバー６５を使用することになる。
【００４０】
マイナスドライバー６５の先端部６５ａを上方向に持ち上げることによって、電池６１を持ち上げることができる。また、電池６１が持ち上がることによって、それまで電池６１を上から支持していた一対の弾性爪１５の上端１５ａが電池６１から外れて、一対の弾性爪１５による電池６１の保持が解除される。その結果、電池収容部１０から電池６１を取り外すことが可能になる。
【００４１】
次に、取り外し用の治具６３として、壁部２１の幅より幅広の治具を用いた場合について説明する。電池収容装置１００内に収容されている電池６１を取り外す時に、マイナスドライバー６５がその場にない場合、図８に示すように、円形状をしたコイン６７が用いられることがある。
【００４２】
コイン６７を用いて電池６１を取り外す時には、まずコイン６７のコイン端部６７ａを凹部２０に前方から差し込み、更に凹部２０内でコイン端部６７ａを後方に押し込む。コイン端部６７ａを押し込むと、コイン端部６７ａが壁部２１に当接し押し止められる。この時、コイン端部６７ａは、図５に示した凹部２０と電池６１の下面との間の隙間１９に差し込まれている。
【００４３】
次に、コイン６７の電池６１側とは逆側のコイン端部６７ｃを下方向に押し下げる。コイン端部６７ｃを押し下げることによって、コイン中間部６７ｂが枠部３０に形成されている一対の側壁３５に当接すると共に、コイン端部６７ａが上方向に持ち上げられる。即ち、コイン６７の電池６１側とは逆側のコイン端部６７ｃを力点とし、コイン中間部６７ｂを支点とし、電池６１側のコイン端部６７ａを作用点とした梃として、コイン６７を使用することになる。
【００４４】
この時、コイン端部６７ａは枠部３０に形成されているガイド部３３に沿って持ち上がっていく。コイン端部６７ａを上方向に持ち上げることによって、電池６１を持ち上げることができる。また、電池６１が持ち上がることによって、それまで電池６１を上から保持していた一対の弾性爪１５の上端１５ａが電池６１から外れて、一対の弾性爪１５による電池６１の保持が解除される。その結果、電池収容部１０から電池６１を取り外すことが可能になる。
【００４５】
以下、本実施形態としたことによる効果について説明する。
【００４６】
電池収容装置１００は、取り外し用の治具６３の先端が凹部２０によって電池６１の下面側に案内されるとともに、差し込まれた治具６３の先端が壁部２１に当接して押し止められ、治具６３の先端が電極切片４１ａ側に滑り込むことを規制するため、治具６３が電極切片４１ａを損傷させることを防止することができる。
【００４７】
また、保護壁３１によって弾性爪１５が保護されているため、取り外し用の治具６３が誤って斜めに差し込まれた場合でも、治具６３が弾性爪１５に接触することがなく、取り外し時の弾性爪１５の損傷を防止することができる。
【００４８】
また、幅広の取り外し用の治具６３が凹部２０に差し込まれた際に、治具６３の先端がガイド部３３によって凹部２０の中央に正確に案内されるため、容易に電池６１を取り外すことができる。
【００４９】
また、コイン６７のように壁部２１の幅よりも幅広の取り外し用の治具６３を使用した時に、一対の側壁３５が支点となり、壁部２１に当接した取り外し用の治具６３の先端が作用点となって電池６１を持ち上げて取り外しを行なうことができる。そのため、前壁３７が支点となる場合と比べて、支点と作用点との間の距離を短くすることができるので、軽い力で電池６１を取り外すことができる。その結果、力を入れ過ぎて電池収容部１０内の電極切片４１ａを損傷させることがない。
【００５０】
以上説明したように、本発明の電池収容装置は、取り外し用の治具の先端が凹部によって電池の下面側に案内されるとともに、差し込まれた治具の先端が壁部に当接して押し止められ、治具の先端が電極切片側に滑り込むことを規制するため、治具が電極切片を損傷させることを防止することができる。
【００５１】
本発明は上記の実施形態に限定されるものではなく、要旨を逸脱しない範囲で種々変更して実施することが可能である。
【符号の説明】
【００５２】
１０    電池収容部
１１    底面
１１ａ  開口
１３    側面
１３ａ  開口
１５    弾性爪
１５ａ  上端
１７    電池支持部
１９    隙間
２０    凹部
２１    壁部
２３    凹部底面
２５    溝部
２７    溝部底面
３０    枠部
３１    保護壁
３３    ガイド部
３５    側壁
３７    前壁
３８    基板取り付けガイド部
３９    基板取り付け爪
４０    回路部
４１    第１電極
４１ａ  電極切片
４２    第２電極
４２ａ  電極切片
４３    押しボタン部材
４５    電子回路
４９    回路基板
６１    電池
６３    治具
６５    マイナスドライバー
６５ａ  先端部
６５ｂ  中間部
６５ｃ  取手部
６７    コイン
６７ａ  コイン端部
６７ｂ  コイン中間部
６７ｃ  コイン端部
１００  電池収容装置
【図１】
0006531251.tif 000002
【図２】
0006531251.tif 000003
【図３】
0006531251.tif 000004
【図４】
0006531251.tif 000005
【図５】
0006531251.tif 000006
【図６】
0006531251.tif 000007
【図７】
0006531251.tif 000008
【図８】
0006531251.tif 000009
【図９】
0006531251.tif 000010